(57)【要約】  【課題】  建枠の幅にかかわらず、布板との間に隙間が形成されず、運搬時にも嵩張らない回転式巾木と、この回転式巾木を取り付けてなる手摺枠と、この手摺枠を設置してなる枠組み足場を提供する。  【解決手段】  巾木接続金具１０を有する巾木１２であって、巾木接続金具の上部を回転軸として巾木と巾木接続金具が垂直方向に回転可能でかつ一定角度で固定可能であることを特徴とする回転式巾木１。開き防止金具５が巾木１２の下部に取り付けられていてもよい。  通路幅の狭いときには巾木を垂直に立てて用い、そして、通路幅の広いときには巾木を引き出し傾斜させて用いることができる。  また、回転式巾木の下端が布板の上面よりも低い位置に設置されている枠組み足場においては、さらに、布板の横滑りも防止することができる。  【選択図】図２
2005226352.tif 000002
【特許請求の範囲】
【請求項１】
巾木接続金具を有する巾木であって、巾木接続金具の上部を回転軸として巾木と巾木接続金具が回転可能でかつ一定角度で固定可能であることを特徴とする回転式巾木。
【請求項２】
開き防止金具が巾木の下部に取り付けられていることを特徴とする、請求項１に記載の回転式巾木。
【請求項３】
開き防止金具が巾木の下部に取り付けられ、かつ巾木の下部を回転軸として開き防止金具が巾木に対して垂直方向に回転可能であることを特徴とする、請求項２に記載の回転式巾木。
【請求項４】
開き防止金具の他端が固定可能であることを特徴とする、請求項２又は３に記載の回転式巾木。
【請求項５】
建地材を有する手摺枠であって、請求項１から３までのいずれかに記載の回転式巾木が巾木接続金具により建地材に取り付けられていることを特徴とする手摺枠。
【請求項６】
建地材を有する手摺枠であって、請求項４に記載の回転式巾木が巾木接続金具により建地材に取り付けられているとともに、開き防止金具の他端が手摺枠の建地材に固定可能であることを特徴とする手摺枠。
【請求項７】
縦柱と横桟を有する建枠からなる枠組み足場であって、隣接する縦柱の間に請求項５又は６に記載の手摺枠が設置されかつ隣接する横桟の間に布板が架設されていることを特徴とする枠組み足場。
【請求項８】
巾木の下端が布板の上面よりも低い位置に設置されていることを特徴とする、請求項７記載の枠組み足場。
【発明の詳細な説明】
【技術分野】
【０００１】
本発明は、建築現場等における枠組み足場に使用される回転式巾木、この回転式巾木を取り付けてなる手摺枠、及びこの手摺枠を設置してなる枠組み足場に関する。
【背景技術】
【０００２】
建築現場等で用いられる枠組足場は、通常、横桟と縦柱から構成される鳥居形状やＨ形状の建枠を複数個組み立てることによって形成される。
【０００３】
建枠の複数個を所定の間隔で建物とは直角に立設し、建枠に筋違（すじかい）を取り付け固定して複数個の建枠を自立させた後、建枠の横桟の間には布板（足場板）を架け渡すことで、１単位の足場を形成する。そして、隣接する縦柱の間には、布板の道路側あるいはさらに建物側に巾木が設置される。
【０００４】
この巾木は、枠組み足場における作業者の安全を守るために設置されるものであり、枠組み足場を組立・解体する作業中に又は枠組み足場内を移動中に、枠組み足場の隙間から作業者が転落することを防止するために設置されるものである。また、巾木は、枠組み足場の隙間から工具や建築材等が落下するのを防止するという機能も有している。
【０００５】
図９に巾木を設置したときの枠組み足場の一例を示す。(a)が正面図であり、(b)は右側面図、そして、(c)は(b)の部分拡大図である。枠組み足場１８は、建枠１９を所定の間隔で建物２２とは直角に立設し、隣接する建枠１９の間に筋違（すじかい）２３を取り付け固定して複数個の建枠を自立させた後、隣接する建枠の横桟２１の間には布板２４を架け渡すことで、１単位の足場が形成される。ここでは、さらに、隣接する建枠の縦柱２０の間に巾木１２が設置されている。したがって、(c)に示すように作業者３０が布板２４の上で足３１を滑らしても、巾木１２に足３１の先が当たるので、転倒が防止されるし、もし転倒しても作業者３０が足場の外に転落することが防止される。なお、枠組み足場１８には、通常、道路側には手摺枠（図示せず）が設置されるので、手摺枠によって作業者の転落を防止することができるが、作業者の両手がふさがっている場合には、作業者が転倒するおそれがある。通常、枠組み足場を下から組み立てていくときは、１段下の足場において、作業者が上の段の足場用の手摺枠を取り付けるので、「先行手摺枠」とも呼ばれる。この手順を踏むことによって、作業者が上の段の足場に上ったときに、すでに、その段の手摺枠が形成されているというものである。以下、先行手摺枠の意味で、単に、手摺枠というときがある。
【０００６】
また、布板２４の上に工具等が置いてあって、作業者３０が誤ってつま先で蹴ってしまうおそれがあるが、これも巾木１２によってガードされて、工具等が落下することが防止される。なお、巾木１２は、足場の通路が広い場合には建物側にも設置されるが、足場の通路が狭い場合は省くことがある。ここでは、建物側の巾木の設置は省かれている。
【０００７】
図１０は、従来の巾木の断面形状の例を示すものであり、(a)は木材で形成したものであり、(b)は鋼板を折り曲げて形成したものである。いずれも、高さ１０〜１５ｃｍ程度の板状物であって、その長さは、隣接して設置される建枠の間隔に対応するが、通常、１８０〜１８３ｃｍ程度であり、平らな面を布板（図示せず）の側に面して設置される。(b)の場合は、通常、厚さ０．８〜１．２ｍｍ程度の鋼板が使用される。そして、巾木１２は、建枠の横桟２１に載置し、建枠の縦柱２０に固定される。
【０００８】
しかしながら、このような巾木の場合、次に掲げる問題点がある。
【０００９】
布板は、隣接する建枠の横桟の間に架設されるのであるが、建枠の幅、即ち、建枠の横桟の長さに応じて、複数枚の布板を並べることによって、通路が形成される。建枠の横桟の長さは、インチサイズとメーターサイズがあるが、インチサイズを例として挙げると、大きく分けて、３種類のものがある。６１０ｍｍ、９１４ｍｍ及び１２１９ｍｍである。上記の巾木を布板の道路側に設置したときの布板と巾木との隙間は、６１０ｍｍ幅の建枠の場合は３〜６ｃｍ、９１４ｍｍ幅の建枠の場合は７〜１０ｃｍ、そして、１２１９ｍｍ幅の建枠の場合は１１〜１４ｃｍとなり、どの建枠の場合であっても、隙間が生じている。
【００１０】
図１１に、布板２４と巾木１２の間に形成される隙間２５の例を示す。(a)が６１０ｍｍ幅の建枠の場合、(b)が１２１９ｍｍ幅の建枠の場合である。布板２４の端部が建枠の横桟２１に載置され、かつ、隣接する布板の端部２４’が同じ建枠の横桟２０に載置されることにより、通路が形成される。なお、図１１に示すように、建枠の横桟２１の上にはさらに遮蔽板２８が固定されることによって、布板２４、２４’が連結されて１本の通路が形成される場合もある。そして、同じ建枠の横桟２１の縦柱側の端部には、巾木１２が取り付けられている。(a)と(b)のいずれの場合であっても、作業者がその隙間２５に足を踏み込んだり、あるいは、工具を落としたりするというおそれがある。ただし、６１０ｍｍ幅の建枠の場合には、隙間２５が狭い分、このような可能性は小さい。
【００１１】
このため、布板と巾木の間に隙間が形成されない工夫がなされた巾木が従来、提案されている。
【００１２】
図１２は、幅広の巾木接続金具１０を介して巾木１２を建枠の縦柱２０に取り付けてなる例を示す。(a)は巾木を直立設置した場合であり、(b)は巾木を斜めに設置した場合である。いずれも、巾木接続金具１０の幅の分だけ、巾木を布板２４の側にずらして設置されるため、隙間は形成されないものの、布板２４の側にずらして設置される分だけ、足場の通路幅を狭めることになる。特に、６１０ｍｍ幅の建枠の場合には、狭い通路幅がさらに狭くなるという問題がある。
【００１３】
特許文献１には、巾木の布板側に隙間塞ぎ金具を取り付けることによって、足場の通路幅を狭めることなく、隙間が形成されない工夫をした巾木が提案されている。
【００１４】
図１３は、特許文献１に記載された巾木１２の例であり、巾木接続金具１０を介して巾木１２が建枠の縦柱２０に取り付けられ、さらに、隙間塞ぎ金具２６が巾木１２に取り付けられている。(a)は断面Ｌ形状の隙間塞ぎ金具２６を巾木の布板側に取り付けた例であり、(b)は蝶番２７により隙間塞ぎ金具２６を矢印方向に折り畳み可能に巾木の布板側に取り付けた例である。
【００１５】
しかしながら、(a)の断面Ｌ形状の隙間塞ぎ金具を布板側に取り付けた巾木の場合、足場の通路幅を狭めることはないが、隙間塞ぎ金具が巾木に固定されているため、巾木の運搬時に嵩張るという問題がある。
【００１６】
そして、(b)の蝶番により折り畳み可能に隙間塞ぎ金具を布板側に取り付けた巾木の場合、足場の通路幅を狭めることはなく、また巾木の運搬時には折り畳めるので嵩張るということもないが、巾木に蝶番で取り付けられただけの軽量の隙間塞ぎ材であるため、強風時には風に煽られて隙間塞ぎ材が折り畳まれ、隙間が生じてしまうおそれがある。
【００１７】
さらに、これらの従来の巾木は、いずれも巾木接続金具を介して建枠の縦柱に取り付けられているだけであるので、布板が建枠の横桟に載置されているだけで横方向に固定されていない場合には、布板が建枠の横桟の上を横滑りするときがあるが、この際には、布板間に隙間が生じるという問題がある。
【００１８】
図１４は、これらの従来の巾木１２が巾木接続金具１０を介して建枠の縦柱２０に取り付けられているときに、布板２４が矢印方向に横滑りして、２つの布板２４の間に隙間２５が形成されることを示す。
【００１９】
【特許文献１】特開２００２−２５０１２３号公報
【発明の開示】
【発明が解決しようとする課題】
【００２０】
本発明の目的は、建枠の幅にかかわらず、布板との間の隙間を減少させ、運搬時にも嵩張らない回転式巾木と、この回転式巾木を取り付けてなる手摺枠と、この手摺枠を設置してなる枠組み足場を提供することである。
【００２１】
本発明の他の目的は、さらに、布板の横滑りも防止できる回転式巾木と、この回転式巾木を取り付けてなる手摺枠と、この手摺枠を設置してなる枠組み足場を提供することである。
【課題を解決するための手段】
【００２２】
本発明にかかる回転式巾木は、巾木接続金具の上部を回転軸として巾木と巾木接続金具を回転可能でかつ一定角度に固定可能に構成することによって、巾木を垂直に立てて用いることと、巾木を傾斜させて用いることを切替可能にしたものである。
【００２３】
本発明は、具体的には、次の(1)〜(4)のいずれかの回転式巾木、(5)又は(6)の手摺枠、及び(7)又は(8)の枠組み足場に関する。以下、(1)〜(8)にかかる発明を、総称して本発明ということがある。
(1)巾木接続金具を有する巾木であって、巾木接続金具の上部を回転軸として巾木と巾木接続金具が回転可能でかつ一定角度で固定可能であることを特徴とする回転式巾木。
(2)開き防止金具が巾木の下部に取り付けられていることを特徴とする、上記(1)の回転式巾木。
(3)開き防止金具が巾木の下部に取り付けられ、かつ巾木の下部を回転軸として開き防止金具が巾木に対して垂直方向に回転可能であることを特徴とする、上記(2)の回転式巾木。
(4)開き防止金具の他端が固定可能であることを特徴とする、上記(2)又は(3)の回転式巾木。
【００２４】
(5)建地材を有する手摺枠であって、上記(1)〜(3)のいずれかの回転式巾木が巾木接続金具により建地材に取り付けられていることを特徴とする手摺枠。
(6)建地材を有する手摺枠であって、上記(4)の回転式巾木が巾木接続金具により建地材に取り付けられているとともに、開き防止金具の他端が手摺枠の建地材に固定可能であることを特徴とする手摺枠。
(7)縦柱と横桟を有する建枠からなる枠組み足場であって、隣接する縦柱の間に上記(5)又は(6)の手摺枠が設置されかつ隣接する横桟の間に布板が架設されていることを特徴とする枠組み足場。
(8)巾木の下端が布板の上面よりも低い位置に設置されていることを特徴とする、上記(7)の枠組み足場。
【発明の効果】
【００２５】
本発明によれば、通路幅の狭いときには巾木を垂直に立てて用い、そして、通路幅の広いときには巾木を傾斜させて用いることができる。したがって、建枠の幅にかかわらず、隙間を減少することができ、また、巾木を垂直に立てることができるので、運搬時には嵩張ることもない回転式巾木と、この回転式巾木を取り付けてなる手摺枠と、この手摺枠を設置してなる枠組み足場を提供することができる。
【００２６】
また、本発明にかかる回転式巾木は、予め手摺枠の建地材に取り付けておくこともできるので、この場合は手摺枠とともに運搬することもできる。
【００２７】
さらに、本発明にかかる回転式巾木の下端を布板の上面よりも低い位置に設置する場合には、布板の横滑りを防止することができる。
【発明を実施するための最良の形態】
【００２８】
本発明に係る回転式巾木と、その回転式巾木が取り付けてなる手摺枠と、その手摺枠を設置されている枠組み足場について、以下に、図面を用いて、説明する。
【００２９】
図１に、本発明にかかる回転式巾木１の一例を示す。(a)が背面図（巾木の裏面からみたもの。端部のみ表示）、(b)が側面図である。
【００３０】
この巾木１２の端部の近傍の上部には、巾木接続金具１０が溶接により巾木１２の上部の縁の裏側に取り付けられ、その巾木接続金具１０の上部には孔３が穿たれている。この孔３にボルト（図示せず）を挿入することによって、巾木接続金具の上部孔３を回転軸（回転軸Ａ）として、巾木１２と巾木接続金具１０を垂直方向に回転可能としている。なお、巾木接続金具１０は、ここでは溶接によって巾木１２に取り付けられているが、溶接に限定されるものではなく、ボルトナット等で取り付けてもよい。
【００３１】
そして、巾木１２の端部の近傍の下部には、アングル４が溶接により巾木１２の下部の縁の内面に取り付けられ、そのアングル４には孔６が穿たれている。開き防止金具（図示せず）を取り付ける場合には、この孔６にボルト（図示せず）を挿入することによって、開き防止金具（図示せず）が巾木１２の下部を回転軸（回転軸Ｂ）として、垂直方向に回転可能となる。なお、アングル４は、ここでは溶接によって巾木１２に取り付けられているが、溶接に限定されるものではなく、ボルトナット等で取り付けてもよい。また、アングルに代えて、プレート等を溶接等によって取り付けてもよい。
【００３２】
図２は、図１に示した回転式巾木１を、足場枠組みに設置された手摺枠の建地材４１に取り付けてなる一例（側面図）である。(a)は巾木１２が垂直に立った状態を、そして、(b)は巾木１２と巾木接続金具１０が巾木接続金具の上部を回転軸として引き出されて一定角度で固定された状態を、それぞれ、示す。
【００３３】
巾木接続金具１０の上部孔にボルト６１を挿入し、さらに手摺枠の建地材４１に穿たれた孔（図示せず）に通し、ねじ先にはナット（図示せず）を締めることによって、回転式巾木１を手摺枠の建地材４１に取り付けることができる。このとき、矢印で示すように、巾木１２と巾木接続金具１０が、巾木接続金具の上部孔を回転軸（回転軸Ａ）として垂直方向に回転可能となるように、取り付けられることは、上述したとおりである。
【００３４】
また、巾木１２の端部の近傍の下部に取り付けられたアングル４に穿たれた孔（図示せず）には、長円形の孔９を巾木側に有する開き防止金具５が、次のようにして取り付けられる。開き防止金具５の長円形の孔９にボルト７１を挿入し、さらに、アングル４の孔（図示せず）に通し、ねじ先にはナット（図示せず）を締めることによって、開き防止金具５をアングル４に取り付ける。このとき、開き防止金具５は、巾木１２の下部を回転軸（回転軸Ｂ）として、垂直方向に回転可能となるように取り付けられることも、上述したとおりである。
【００３５】
そして、開き防止金具５には、巾木と反対の側にＬ字形の溝８が切られており、Ｌ字形の溝にボルト８１が挿入され、さらに手摺枠の建地材４１に穿たれた、もう一つの孔（図示せず）に通し、ねじ先にはナット（図示せず）を締めることによって、開き防止金具５を手摺枠の建地材４１に取り付けることができる。
【００３６】
そして、巾木１２が垂直に立った状態のときは、開き防止金具５を取り付けているボルト８１は、Ｌ字形の溝８の巾木側にあって、開き防止金具５を閉じた状態で固定している。
【００３７】
これに対して、巾木１２が巾木接続金具１０の上部を回転軸（回転軸Ａ）として引き出されたときは、開き防止金具５は巾木１２の下部に取り付けられたアングル４の孔の回りに垂直方向に回転（回転軸Ｂ）して、開き防止金具５を取り付けているボルト８１は、Ｌ字形の溝８の窪みにあって、開き防止金具５を開いた状態で固定している。したがって、引き出しされた巾木１２が一定角度で固定された状態となる。
【００３８】
このようにして、回転式巾木１は、巾木１２が垂直に立った状態と、巾木１２が巾木接続金具１０の上部を回転軸として引き出されて一定角度で固定された状態とを、切り替えて用いることができる。
【００３９】
したがって、６１０ｍｍ幅の建枠からなる枠組み足場においては、巾木１２を垂直に立った状態で用いることができるので、狭い通路幅がさらに狭くなるという問題はなくなる。これに対して、９１４ｍｍ幅の建枠の場合及び１２１９ｍｍ幅の建枠の場合は、巾木１２を巾木接続金具１０の上部を回転軸として引き出して一定角度で固定した状態で用いれば、隙間を解消することができる。また、引き出した巾木を固定することができるので、風に煽られて折り畳まれることはない。したがって、強風時であっても、隙間が生じてしまうおそれはない。
【００４０】
なお、ここでは、開き防止金具５を用いて巾木１２の下部を固定するケースを説明したが、他の方法であっても、引き出した巾木１２を一定角度で固定することができればよく、開き防止金具５の設置にこだわるものではない。開き防止金具５に代えて、たとえば、端部金具２と巾木接続金具１０との間にスペーサーを挟んで、角度固定機能を持たせてもよい。また、引き出した巾木１２の下部を布板に固定することによって、巾木１２を固定してもよい。
【００４１】
また、ここでは、本発明にかかる回転式巾木１を足場枠組みの手摺枠の建地材４１に取り付けてなる例を示したが、回転式巾木１を取り付ける個所に限定はなく、建枠の縦柱など、手摺枠以外の個所にとりつけてもよい。
【００４２】
図３は、本発明の他の例にかかる回転式巾木１を、手摺枠の建地材４１に取り付けてなる一例（側面図）である。(a)は巾木１２が垂直に立った状態を、そして、(b)は巾木１２と巾木接続金具１０が巾木接続金具の上部を回転軸として引き出されて一定角度で固定された状態を、それぞれ、示す。
【００４３】
この回転式巾木１は巾木接続金具１０が取り付けられており、巾木接続金具１０の上部孔にボルト６１を挿入し、さらに手摺枠の建地材４１に穿たれた孔（図示せず）に通し、ねじ先にはナット（図示せず）を締めることによって、回転式巾木１を手摺枠の建地材４１に取り付けることができる。このとき、矢印で示すように、巾木１２と巾木接続金具１０が、巾木接続金具の上部孔を回転軸（回転軸Ａ）として垂直方向に回転可能となるように、取り付けられることは、図２の場合と同じである。また、開き防止金具５を、巾木１２の端部の近傍の下部の縁の内側に取り付けられたアングルに取り付けて、巾木１２の下部を回転軸（回転軸Ｂ）として、垂直方向に回転可能としていることも、図２の場合と同じである。異なるところは、開き防止金具５として、折り畳み式のステーが用いられていることである。
【００４４】
開き防止金具５の一端は、アングルに穿たれた孔（図示せず）を回転軸（回転軸Ｂ）として垂直方向に回転可能となるように、アングル用のボルト７１とナット（図示せず）によって回転可能に接続されている。この開き防止金具５の他端は、開き防止金具用のボルト８１とナット（図示せず）によって手摺枠の建地材４１に回転可能に接続されている。巾木１２が垂直に立った状態のときは、開き防止金具の中間に設けられた中間ピン１４の回りに、折り畳まれている。そして、巾木１２が巾木の上部を回転軸として引き出されたときは、開き防止金具５が開き、ストッパー１３によって、引き出された巾木１２が一定角度で固定された状態となる。なお、巾木１２を垂直に立てた状態で固定するためには、たとえば、手摺枠の第２補強材と巾木１２の間に固定具を取り付けるとよい。
【００４５】
このようにして、本発明に係る回転式巾木１は、巾木１２が垂直に立った状態と、巾木１２と巾木接続金具１０が巾木接続金具の上部を回転軸として引き出されて一定角度で固定された状態とを、切り替えて用いることができる。
【００４６】
次に、巾木接続金具１０を、例えば、手摺枠の建地材４１に取り付けて、回転式巾木１を枠組み足場に固定する際の使用態様を説明する。
【００４７】
図４は、本発明に係る回転式巾木を手摺枠４０に取り付けたときの正面図（足場枠組みの正面から見た図）である。巾木１２は手摺枠４０の内側に取り付けられているので、巾木１２の裏面が見えている状態を示している。巾木の陰に隠れているが、布板（図示せず）が巾木１２の下端のレベルに設置されている。手摺枠４０は、右左の２本の建地材４１、４１’並びに上部横地材４２及び下部横地材４３でもって枠形状の周囲が形成され、さらに、ここでは、建地材同士を結ぶ第１補強材４４とこの第一補強材と下部横地材を結ぶ第２補強材４５が枠内に設けられている。
【００４８】
手摺枠４０は隣接する建枠の間に取り付けられるが、そのために、建地材には、上から順に、上部固定金具４６、位置決め金具４７、下部固定金具４８が設けられている。手摺枠４０を取り付ける手順は、次のとおりである。
【００４９】
手摺枠４０を上下逆さまに持ち上げ、左右の位置決め金具４７を、隣接する建枠の横桟２１の縦柱近傍に、それぞれ載置してから、位置決め金具４７を回転軸として手摺枠を外回りに半回転する。その後、下部固定金具４８を、建枠の縦柱に固定してから、上部固定金具４６を一つ上の足場を構成する建枠の縦柱に固定する。
【００５０】
図５は、図２に示す回転式巾木を手摺枠の建地材４１に取り付ける手順の一例である。(a)が背面図（巾木の裏面からみたもの。端部のみ表示）、(b)が側面図である。
【００５１】
まず、回転式巾木１の巾木接続金具１０を、手摺枠の建地材４１に、巾木１２と巾木接続金具１０が垂直方向に回転可能（回転軸Ａ）となるように取り付ける。この巾木接続金具１０の上部に穿たれた孔３にボルト６１を挿入し、さらに手摺枠の建地材４１に穿たれた孔６３に通し、ねじ先にはナット６２を締めることによって、回転式巾木１の一方の端部を巾木接続金具１０を介して、手摺枠の建地材４１の片方に取り付ける。
【００５２】
次に、巾木１２の端部の近傍の下部に取り付けられたアングル４に穿たれた孔（図示せず）に、開き防止金具５の一端を取り付ける。開き防止金具５の長円形の孔９にボルト７１を挿入し、さらに、アングル４の孔（図示せず）に通し、ねじ先にはナット（図示せず）を締めることによって、開き防止金具５をアングル４に取り付ける。このとき、開き防止金具５は、巾木１２の下部を回転軸（回転軸Ｂ）にして垂直方向に回転可能となるように取り付ける。
【００５３】
さらに、開き防止金具５の他端を、手摺枠の建地材４１に取り付ける。Ｌ字形の溝８の最下部にボルト８１が挿入され、さらに手摺枠の右側の建地材４１に穿たれた孔８３に通し、ねじ先にはナット８２を締めることによって、開き防止金具５を手摺枠の右側の建地材４１に取り付けることができる。
【００５４】
以上、図５によって、図４で示される手摺枠の右側の建地材４１に、回転式巾木１の右側の端部を取り付ける手順を説明した。
【００５５】
その後、図４で示される手摺枠の左側の建地材４１’に、同様にして、回転式巾木１の左側側の端部の取り付ける。
【００５６】
このようにして、回転式巾木１は、巾木１２が垂直に立った状態で手摺枠の両側の建地材４１、４１’に取り付けられる。
【００５７】
なお、ここでは、巾木１２が垂直に立った状態で手摺枠の縦柱に取り付ける手順を説明した。しかしながら、開き防止金具５の他端を手摺枠の建地材４１に取り付ける際に、Ｌ字形の溝８の最上部の窪みにボルト８１を挿入してボルトナットを締めることによって、開き防止金具５が開いた状態で回転式巾木１を手摺枠の建地材４１に取り付けることができる。したがって、この場合は、当初から巾木１２が引き出されて一定角度で固定された状態で、回転式巾木１を手摺枠の建地材４１に取り付けることもできる。
【００５８】
もちろん、回転式巾木１を手摺枠の両側に巾木１２が立った巾木１２を手でもって引き出すことによって、開き防止金具を開くこともできる。このとき、Ｌ字形の溝の最上部の窪みにボルト８１が移動するので、巾木１２は一定角度で固定された状態となる。
【００５９】
このような作業は、手摺枠を枠組み足場に取り付ける前に予め行っておくことができるし、枠組み足場に取り付けた後に行うこともできる。しかも、予め手摺枠に回転式巾木を取り付ける場合には、巾木を垂直に立てた状態で回転式巾木を取り付けたまま、手摺枠ごと、枠組み足場まで運搬することもできる。
【００６０】
したがって、本発明に係る回転式巾木は、枠組み足場の建枠の幅、すなわち、枠組み足場の通路幅に応じて、巾木を垂直に立てた状態と巾木が引き出されて一定角度で固定された状態とを選択することができるので、建枠の幅にかかわらず、布板との間に隙間が形成されないようにすることができる。
【００６１】
図６は、本発明に係る回転式巾木１を、６１０ｍｍ幅の建枠から形成される枠組み足場に設置した場合を示す。このような狭い幅の通路のときは、もともと、巾木１２と布板２４の間に隙間は生じていないので、巾木は垂直に立てたままの状態となっている。
【００６２】
図７は、本発明に係る回転式巾木１を、９１４ｍｍ幅又は１２１９ｍｍ幅の建枠から形成される枠組み足場に設置した場合を示す。このような中幅又は広幅の通路のときは、巾木１２と布板２４の間に隙間２５が生じないように、巾木１２を引き出して一定角度で固定された状態となっている。
【００６３】
ここで、巾木と布板の上下の位置関係については、巾木と布板の間の隙間が生じない範囲にあれば、特に限定するものではない。ただし、布板が建枠の横桟に載置されているだけで横方向に固定されていない場合には、布板が横桟の上を横滑りすることを防止すべく、巾木の下端が布板の上面よりも低い位置に設置されることが好ましい。
【００６４】
図８は、本発明に係る回転式巾木１を、巾木１２の下端３２が布板２４の上面３３よりも低い位置に設置したものである。この場合、布板２４が横桟（図示せず）の上を横滑りしようとしても、布板の横滑りは巾木の下端によって阻止される。したがって、布板が横滑りして、布板間に隙間が生じるという問題はなくなる。
【産業上の利用可能性】
【００６５】
本発明によれば、建枠の幅にかかわらず、布板との間に隙間が形成されない回転式巾木であって、運搬時にも嵩張らない回転式巾木と、この回転式巾木を取り付けてなる手摺枠と、この手摺枠を設置してなる枠組み足場を提供することができる。
【００６６】
また、本発明にかかる回転式巾木の下端が布板の上面よりも低い位置に設置されている枠組み足場においては、さらに、布板の横滑りも防止することができる。
【図面の簡単な説明】
【００６７】
【図１】本発明にかかる回転式巾木の一例を示す側面図、正面図及び断面図である。
【図２】本発明にかかる回転式巾木を手摺枠の建地材に取り付けてなる態様の一例を示す側面図である。
【図３】本発明の他の例にかかる回転式巾木を手摺枠の建地材に取り付けてなる態様の一例を示す側面図である。
【図４】本発明にかかる回転式巾木を手摺枠に取り付けてなる態様の一例を示す正面図である。
【図５】図２に示す回転式巾木を建枠の縦柱に取り付ける手順の一例を示す正面図及び側面図である。
【図６】本発明に係る回転式巾木を６１０ｍｍ幅の建枠に設置した場合を示す側面図である。
【図７】本発明に係る回転式巾木を９１４ｍｍ幅又は１２１９ｍｍ幅の建枠に設置した場合を示す側面図である。
【図８】本発明に係る回転式巾木を巾木の下端が布板の上面よりも低い位置に設置した場合を示す側面図である。
【図９】巾木を設置したときの枠組み足場の一例を示す正面図、右側面図及びその部分拡大図である。
【図１０】従来の巾木の断面形状の例を示す側面図である。
【図１１】布板と巾木の間に形成される隙間の例を示す平面図である。
【図１２】幅広の巾木接続金具を介して巾木を建枠の縦柱に取り付けてなる態様を例を示す側面図である。
【図１３】特許文献１に記載された巾木の例を示す側面図である。
【図１４】布板が矢印方向に横滑りして、布板間に隙間が形成されることを示す側面図である。
【符号の説明】
【００６８】
１    回転式巾木
３    巾木接続金具の孔
４    アングル
５    開き防止金具
６    アングルの孔
８    開き防止金具のＬ字形の溝
９    開き防止金具の長円形の孔
１０  巾木接続金具
１２  巾木
１３  ストッパー
１４  中間ピン
１８  枠組み足場
１９  建枠
２０  建枠の縦柱
２１  建枠の横桟
２２  建物
２３  筋違
２４  布板
２５  隙間
２６  隙間塞ぎ金具
２７  蝶番
２８  遮蔽板
３０  作業者
３１  作業者の足
３２  巾木の下端
３３  布板の上面
４０  手摺枠
４１  手摺枠の建地材
４２  手摺枠の上部横地材
４３  手摺枠の下部横地材
４４  手摺枠の第１補強材
４５  手摺枠の第２補強材
４６  手摺枠の上部固定金具
４７  手摺枠の位置決め金具
４８  手摺枠の下部固定金具
６１  巾木接続金具用のボルト
６２  巾木接続金具用のナット
６３  巾木接続金具用の孔
７１  アングル用のボルト
８１  開き防止金具用のボルト
８２  開き防止金具用のナット
８３  開き防止金具用の孔
【図１】
2005226352.tif 000003
【図２】
2005226352.tif 000004
【図３】
2005226352.tif 000005
【図４】
2005226352.tif 000006
【図５】
2005226352.tif 000007
【図６】
2005226352.tif 000008
【図７】
2005226352.tif 000009
【図８】
2005226352.tif 000010
【図９】
2005226352.tif 000011
【図１０】
2005226352.tif 000012
【図１１】
2005226352.tif 000013
【図１２】
2005226352.tif 000014
【図１３】
2005226352.tif 000015
【図１４】
2005226352.tif 000016